(57)【要約】【課題】アンケート票をかねたドアサイン広告物であって、新規顧客の開拓システムを構築するための基本ツールを提供する。【解決手段】ドアノブに吊下されるため視認されやすく、しかも他の投げ込み広告物と紛れにくい、アンケート用紙をかねたドアサイン広告物の紙面上に、広告主のサーバを識別する２次元バーコードを印刷する。アンケートへの回答は、普及度の高いカメラつき携帯端末を用いて、容易かつ迅速におこなえ、回答者をわずらわせない。アンケートへの回答情報は、紙面に表示された専門サービス業者へ提供され、新規顧客の需要が遅滞なく充足される。【選択図】図２
0003163669.tif 000002
【実用新案登録請求の範囲】
【請求項１】
ドアの取っ手に吊下できるカード状ドアサイン広告物であって、  上部と下部とを区切るパーフォレーション線と、  上部を貫通する開口と、  下部の片面に印刷された、アンケート質問文領域と、  下部の片面に印刷された、上記アンケート質問文への回答および回答者の個人情報を受理するサーバコンピュータをアドレス指定する２次元バーコード領域と、  下部の片面に印刷された、上記回答者の個人情報を記入できる欄が設けられた（公序良俗違反につき、不掲載）の書式領域と、  下部の片面に印刷された、上記回答および回答者の個人情報を利用する機関の名称を表記する文言領域と、  を有するカード状ドアサイン広告物。
【考案の詳細な説明】
【技術分野】
【０００１】
本考案は、頒布用の紙面広告物に関するもので、とくに建造物や自動車のドアの取っ手部分に吊下できる、いわゆるドアサイン広告物に関するものである。
【背景技術】
【０００２】
ドアノブ等に吊下する広告物については、いくつかの先行例が見られ、吊下げタイプの広告物や、宣伝用プレートなどの名称で知られている。いずれも、長方形状の紙面の一端に、ドアノブ等に吊下するための開口を設けてあるのが特徴で、紙面は、広告の文言や連絡メモを記載するために用いられる。
【０００３】  とくに紙面の一部にルーレットなどのパーフォレーション線を設け、広告物の一部を手で容易に切り離せるように構成し、（公序良俗違反につき、不掲載）や、クーポンなどとして利用できるようにした考案も見られる。また、切り離し部分に２次元バーコードやシリアル番号などを、あらかじめ印刷しておき、広告主との通信の便を供給する考案も存在する。
【先行技術文献】
【特許文献】
【０００４】
【特許文献１】実用新案登録第３０６５８７３号公報
【特許文献２】実用新案登録第３０８２５９５号公報
【特許文献３】実用新案登録第３１１２９１７号公報
【考案の概要】
【考案が解決しようとする課題】
【０００５】
しかしながら、ドアサイン広告物の紙面上に印刷できる情報量にはかぎりがある。先行技術文献に示された考案は、いずれも、ドアサイン広告物の紙面を活用する手段について種々のバリエーションを示しているものの、紙面上の個々の情報を、情報処理システムでどのように使用するかを考慮した設計をしておらず、情報を記載する必然性が充分に示されていない。情報量のかぎられるドアサイン広告物によって最大限の広告効果を得るためには、頒布の目的を絞った慎重な設計が必要である。
【０００６】
本考案は、アンケート票をかねたドアサイン広告物であって、新規顧客の開拓システムを構築するための基本ツールとなりうる、ドアサイン広告物を提供する。
【課題を解決するための手段】
【０００７】  本考案が提供するドアサイン広告物は、建造物や自動車などの、ドアの取っ手に吊下できるカード状ドアサイン広告物であって、その構成は、つぎのとおりである：(１) 上部と下部とを区切るパーフォレーション線、(２) 上部を貫通する開口、(３) 下部の片面に印刷された、チェック形式のアンケート質問文領域、(４) 下部の片面に印刷された、アンケート質問文への回答および回答者の個人情報を受理するサーバコンピュータをアドレス指定する２次元バーコード領域、(５) 下部の片面に印刷された、回答者の個人情報を記入できる欄が設けられた（公序良俗違反につき、不掲載）の書式領域、(６) 下部の片面に印刷された、回答および回答者の個人情報を利用する機関の名称を表記する文言領域、(７) 下部の片面に印刷された、アンケート質問文への回答と引き換えに提供する景品を紹介する文言領域。【０００８】
なお、本考案が提供するドアサイン広告物へは、さらに、(８) 開口の周縁の片側を上下または左右に区切る、下部と交わらないパーフォレーション線を設けてもよい。
【０００９】
すなわち、本考案は、新規顧客情報の処理システムを搭載したサーバコンピュータへ、アンケートデータおよび個人情報を供給する手段を提供するものである。
【００１０】
本考案にかかるドアサイン広告物の紙面は、パーフォレーション線によって、上部および下部に分かれる。上部には、開口が設けられているので、ドアノブ等を、この開口へ通し、ドアサイン広告物を吊下できる。開口の周縁には、その片側を上下、または左右に区切り、かつ下部と交わらないパーフォレーション線を設けることもできるので、引き手によって開閉するドアの場合は、このパーフォレーション線に沿って開口の一部を切り離し、切り離し部分と、引き手部分を交差させてドアサイン広告物を吊下できる。なお、パーフォレーション線は、断続的な切込みであって、穿孔をともなわない、ルーレットとすることが望ましい。
【００１１】
本考案にかかるドアサイン広告物の下部には、チェック形式のアンケートが記載される。そして、本考案にかかるドアサイン広告物の下部に印刷された２次元バーコードは、アンケートへの回答内容や回答者の個人情報を受け取る、サーバコンピュータをアドレス指定することができる。２次元バーコードは、カメラつき携帯端末などで撮影し、デコードすると、サーバコンピュータのＵＲＬへ変換される。カメラつき携帯端末のインターネット接続機能により、このＵＲＬへアクセスすれば、広告主のポータルサイト画面が表示される。
【００１２】  本考案にかかるドアサイン広告物の下部には、（公序良俗違反につき、不掲載）の書式が印刷される。この（公序良俗違反につき、不掲載）は、はがき面上部を横断するパーフォレーション線を用いて、ドアサイン広告物の上部と分離できる。（公序良俗違反につき、不掲載）の表面には、あらかじめ、返信先が記入されている。また、（公序良俗違反につき、不掲載）の片面には、個人情報を記入する欄が設けられる。アンケート質問文、およびチェックボックスは、（公序良俗違反につき、不掲載）の他方の面に記載することが望ましい。【００１３】  本考案にかかるドアサイン広告物の下部には、アンケート回答者の個人情報、および回答内容を蓄積し、アンケート回答の内容に応じて、個人情報を利用する機関の名称を特定する文言が記載される。個人情報を利用する主体が、広告主以外に拡張される可能性を、あらかじめ示唆することで、アンケートへの回答が、ただちに専門的サービスの提供と結びつくことを明示できる。この文言は、（公序良俗違反につき、不掲載）の、個人情報記入欄に近接して記載することが望ましい。【００１４】
本考案にかかるドアサイン広告物の下部には、アンケート質問文への回答と引き換えに広告主が提供する、景品を紹介する文言が記載される。景品としては、利用する回答者にとっての自由度が高い、プリペイドカードなどが望ましいが、ダウンロード可能なデジタルコンテンツであってもよい。広告主が発行する刊行物の無料提供とを組み合わせることもできる。
【考案の効果】
【００１５】
以上、説明したように、本発明のドアサイン広告物によれば、広告主は、ターゲットエリア内の住宅や建造物の、ドアノブにアンケート用紙をかねた広告物を吊下することで、視認されやすく、かつ、他の投げ込み広告物と紛れにくい、宣伝媒体の頒布をすることができる。ドアサイン広告物には、広告主のサーバを識別する２次元バーコードが印刷されているので、アンケートへの回答は、普及度の高いカメラつき携帯端末を用いて、容易かつ迅速におこなうことができるので、回答者をわずらわせない。また、アンケートへの回答は、需要に応じたサービス提供の申し出に直結するので、回答者の期待と信頼を獲得しやすい。
【図面の簡単な説明】
【００１６】
【図１】本考案にかかるドアサイン広告物の表面図である。
【図２】本考案にかかるドアサイン広告物の裏面図である。
【図３】本考案にかかるドアサイン広告物を応用するシステムの説明図である。
【考案を実施するための形態】
【００１７】
以下、添付図面を参照しながら、本発明のドアサイン広告物を実施するための最良形態を詳細に説明する。図１〜図３は、本発明の実施の形態を例示する図であり、これらの図において、同一の符号を付した部分は同一物を表わし、基本的な構成及び動作は同様であるものとする。
【００１８】
図１、および図２に、本考案にかかるドアサイン広告物の実施例を示す。ドアサイン広告物の寸法は、たて２５ｃｍ、よこ１０ｃｍていどが望ましい。図１は、ドアサイン広告物の表面であって、図２は、ドアサイン広告物の裏面である。ドアサイン広告物1の紙面は、ルーレット４によって、上部および下部に分かれる。上部には、開口３が設けられており、ドアノブ等を、この開口３へ通してドアサイン広告物１を吊下する。開口３を含む部分には、その片側を上下または左右に区切り、かつ下部と交わらないルーレット２を設けてもよい。引き手によって開閉するドアの場合、このルーレット２に沿って開口の一部を切り離し、切り離し部分と、引き手部分を交差させてドアサイン広告物１を吊下する。
【００１９】
ドアサイン広告物１の下部には、チェック形式のアンケート質問欄９が記載される。紙面のスペースがかぎられるので、各質問文は、３０文字ていどに抑えることが望ましい。また、各々の質問文をチェックされた場合、広告主側が、いかなるアクションをとるべきかは、あらかじめ明確に定義しておくべきである。
【００２０】
また、ドアサイン広告物１の下部には、２次元バーコード７が印刷される。この２次元バーコード７は、アンケート質問欄９への回答内容や回答者の個人情報を受け取る、サーバコンピュータ１４をアドレス指定するためのものである。２次元バーコード７は、カメラつき携帯端末１２などで撮影し、デコードすると、サーバコンピュータ１４のＵＲＬへ変換される。カメラつき携帯端末１２のインターネット接続機能により、このＵＲＬへアクセスすれば、広告主のポータルサイト画面が表示される。
【００２１】  また、ドアサイン広告物１の下部には、（公序良俗違反につき、不掲載）１１の書式が印刷される。この（公序良俗違反につき、不掲載）１１は、はがき面上部を横断するルーレット４を用いて、容易にドアサイン広告物１の上部と分離できる。（公序良俗違反につき、不掲載）１１の表面には、あらかじめ、広告主の住所および郵便番号が記入されている。料金受取人払いとすることが望ましい。（公序良俗違反につき、不掲載）１１の表面には、個人情報記入欄５が設けられる。これは、アンケート質問欄９への回答を、郵便によって広告主に送付するための便宜である。個人情報には、氏名、ふりがな、年齢、住所、郵便番号、電話番号、電子メールアドレスなどが含まれる。アンケート質問欄９、およびチェックボックス１０は、（公序良俗違反につき、不掲載）１１の裏面に記載することが望ましい。なお、ドアサイン広告物１の下部が、（公序良俗違反につき、不掲載）１１として使用されるため、ドアサイン広告物１の上部の、たて寸法は、１０ｃｍていどとすることが望ましい。
【００２２】  また、ドアサイン広告物１の下部には、アンケート回答者の個人情報および回答内容を蓄積し利用する機関の名称を特定するため、個人情報利用主体の表示６が記載される。これによって、個人情報を利用する主体が、広告主以外に拡張される可能性を、あらかじめアンケート回答者に明示することができる。機関は、グループとして構成するとよい。アンケート回答者は、このような個人情報の利用に同意しないのであれば、アンケートに回答しなければよい。この文言は、（公序良俗違反につき、不掲載）１１の表面の、個人情報記入欄５に近接して記載することが望ましい。
【００２３】
さらに、ドアサイン広告物１の下部には、アンケート質問欄９への回答と引き換えに広告主が提供する景品を紹介する、景品の表示８が記載される。アンケート質問欄９への回答を、動機づけるためのものである。景品としては、利用する回答者にとって自由度が高い、プリペイドカードなどが望ましいが、ダウンロード可能なデジタルコンテンツであってもよい。広告主が発行する刊行物の無料提供とを組み合わせることもできる。
【００２４】
つぎに、上記のドアサイン広告物１を用いて、新規顧客の獲得をするシステムについて述べる。図３は、本考案にかかるドアサイン広告物１によって、個人情報の収集、蓄積、および利用をするシステムの概略図である。
【００２５】
アンケート回答者は、カメラつき携帯端末１２を用いて、ドアサイン１の下部に印刷された２次元バーコード７を撮影し、広告主のポータルサイトへアクセスする。広告主のサーバコンピュータ１４は、アンケート回答者のカメラつき携帯端末１２に、ポータルサイトの初期画面を表示する。アンケート回答者は、広告物主の個人情報利用規約に同意した後、画面に表示される誘導に従って、個人情報を入力し、あわせてアンケート質問欄９への回答をする。サーバコンピュータ１４は、入力された個人情報を、データベースに蓄積する。
【００２６】  アンケート回答が（公序良俗違反につき、不掲載）１１によって送付された場合、（公序良俗違反につき、不掲載）１１の記載内容は、広告主がサーバコンピュータ１４へ入力する。このとき、（公序良俗違反につき、不掲載）１１の紙面のレイアウト認識、および文字認識ができるＯＣＲなどの、データ入力装置１３を利用し、データ入力の自動化をすることができる。
【００２７】
アンケートは、回答者の需要を的確に認識できるように構成する。不動産業を例にとると、顧客の関心は、物件情報、業者情報、購買力判定、ローン返済プラン、所有不動産の査定などであると考えられる。そこで、アンケート質問欄９の文面は、これらの顧客の関心に対応づけて記載する。たとえば、顧客が購買力判定に関心があるかどうかは、アンケートに、「自分たちの収入で、どんな家が建てられるか心配だ」のような項目を設け、そこのチェックボックス１０にチェックをしてもらえばわかる。アンケート結果を利用するグループは、不動産業者、金融業者、不動産鑑定士、出版業者などで構成するとよい。これらの業者の集合体が、同一のアンケート結果を共有することにより、連係したサービス提供が可能となり、顧客満足度の向上につながる。
【００２８】
広告主のサーバコンピュータ１４は、アンケート回答にもとづいて入力された個人情報をリスト形式の、個人情報リスト１６にとりまとめ、上記グループの構成員へ、電子メールなどを用いて送付する。たとえば、購買力判定や、ローン返済プランに関心がある回答者の個人情報は、もっぱら金融業者へ送られる。また、物件情報に関心がある回答者の個人情報は、もっぱら不動産業者へ送付される。このように、個人情報の送付先は、回答者が、アンケート質問欄９のどの項目をチェックしたかによって定まる。
【００２９】
個人情報は、エリアごとに分類して送付することができる。たとえば、アンケート回答者が記載する郵便番号によってエリアを定義し、グループ構成員を各エリアへ配分しておく。こうすれば、グループ構成員は、自分の属するエリアを中心にして、顧客情報を入手できる。郵便番号を使用しなくても、ドアサイン広告物１へ、あらかじめエリア識別コードを印字してから頒布すれば、同様の効果が期待できる。
【００３０】
また、グループ構成員が、広告主のサーバコンピュータ１４にアクセスして、個人情報データベースを検索できるようにしてもよい。この場合、個人情報利用主体１５と、広告主のサーバコンピュータ１４とのあいだには、図３に示すような、情報受け渡しのためのインタフェースが確立される。
【００３１】
以上、本考案のドアサイン広告物について、具体的な実施の形態を示して説明したが、本考案はこれらに限定されるものではない。当業者であれば、本考案の要旨を逸脱しない範囲内において、上記各実施形態における広告物の構成及び機能に様々な変更・改良を加えることが可能である。
【産業上の利用可能性】
【００３２】
本考案のドアサイン広告物は、新規顧客を獲得するための媒体として、上記の実施形態において例示した不動産業にかぎらず、広く一般の産業に応用が可能である。また、図３に示すとおり、携帯端末、サーバコンピュータ、入力デバイス、データベース等からなるネットワークシステムは、本考案のドアサイン広告物を利用することにより、容易に個人情報の収集ができる。
【符号の説明】
【００３３】  １  ドアサイン広告物  ２  ルーレット  ３  開口  ４  ルーレット  ５  個人情報記入欄  ６  個人情報利用主体の表示  ７  ２次元バーコード  ８  景品の表示  ９  アンケート質問欄１０  チェックボックス１１  （公序良俗違反につき、不掲載）１２  カメラつき携帯端末１３  データ入力装置１４  サーバコンピュータ (個人情報データベースを含む)１５  個人情報利用主体１６  個人情報リスト
【図１】
0003163669.tif 000003
【図２】
0003163669.tif 000004
【図３】
0003163669.tif 000005
【手続補正書】
【提出日】平成22年9月16日(2010.9.16)
【手続補正１】
【補正対象書類名】実用新案登録請求の範囲
【補正対象項目名】全文
【補正方法】変更
【補正の内容】
【実用新案登録請求の範囲】
【請求項１】
ドアの取っ手に吊下できるカード状ドアサイン広告物であって、
上部と下部とを区切るパーフォレーション線と、
上部を貫通する開口と、
下部の片面に印刷された、アンケート質問文領域と、
下部の片面に印刷された、上記アンケート質問文への回答および回答者の個人情報を受理するサーバコンピュータをアドレス指定する２次元バーコード領域と、
下部の片面に印刷された、上記回答者の個人情報を記入できる欄が設けられた、はがきの書式領域と、
下部の片面に印刷された、上記回答および回答者の個人情報を利用する機関の名称を表記する文言領域と、
を有するカード状ドアサイン広告物。
【手続補正２】
【補正対象書類名】明細書
【補正対象項目名】０００３
【補正方法】変更
【補正の内容】
【０００３】
とくに紙面の一部にルーレットなどのパーフォレーション線を設け、広告物の一部を手で容易に切り離せるように構成し、はがきや、クーポンなどとして利用できるようにした考案も見られる。また、切り離し部分に２次元バーコードやシリアル番号などを、あらかじめ印刷しておき、広告主との通信の便を供給する考案も存在する。
【手続補正３】
【補正対象書類名】明細書
【補正対象項目名】０００７
【補正方法】変更
【補正の内容】
【０００７】
本考案が提供するドアサイン広告物は、建造物や自動車などの、ドアの取っ手に吊下できるカード状ドアサイン広告物であって、その構成は、つぎのとおりである：(１) 上部と下部とを区切るパーフォレーション線、(２) 上部を貫通する開口、(３) 下部の片面に印刷された、チェック形式のアンケート質問文領域、(４) 下部の片面に印刷された、アンケート質問文への回答および回答者の個人情報を受理するサーバコンピュータをアドレス指定する２次元バーコード領域、(５) 下部の片面に印刷された、回答者の個人情報を記入できる欄が設けられた、はがきの書式領域、(６) 下部の片面に印刷された、回答および回答者の個人情報を利用する機関の名称を表記する文言領域、(７) 下部の片面に印刷された、アンケート質問文への回答と引き換えに提供する景品を紹介する文言領域。
【手続補正４】
【補正対象書類名】明細書
【補正対象項目名】００１２
【補正方法】変更
【補正の内容】
【００１２】
本考案にかかるドアサイン広告物の下部には、はがきの書式が印刷される。このはがきは、はがき面上部を横断するパーフォレーション線を用いて、ドアサイン広告物の上部と分離できる。はがきの表面には、あらかじめ、返信先が記入されている。また、はがきの片面には、個人情報を記入する欄が設けられる。アンケート質問文、およびチェックボックスは、はがきの他方の面に記載することが望ましい。
【手続補正５】
【補正対象書類名】明細書
【補正対象項目名】００１３
【補正方法】変更
【補正の内容】
【００１３】
本考案にかかるドアサイン広告物の下部には、アンケート回答者の個人情報、および回答内容を蓄積し、アンケート回答の内容に応じて、個人情報を利用する機関の名称を特定する文言が記載される。個人情報を利用する主体が、広告主以外に拡張される可能性を、あらかじめ示唆することで、アンケートへの回答が、ただちに専門的サービスの提供と結びつくことを明示できる。この文言は、はがきの、個人情報記入欄に近接して記載することが望ましい。
【手続補正６】
【補正対象書類名】明細書
【補正対象項目名】００２１
【補正方法】変更
【補正の内容】
【００２１】
また、ドアサイン広告物１の下部には、はがき１１の書式が印刷される。このはがき１１は、はがき面上部を横断するルーレット４を用いて、容易にドアサイン広告物１の上部と分離できる。はがき１１の表面には、あらかじめ、広告主の住所および郵便番号が記入されている。料金受取人払いとすることが望ましい。はがき１１の表面には、個人情報記入欄５が設けられる。これは、アンケート質問欄９への回答を、郵便によって広告主に送付するための便宜である。個人情報には、氏名、ふりがな、年齢、住所、郵便番号、電話番号、電子メールアドレスなどが含まれる。アンケート質問欄９、およびチェックボックス１０は、はがき１１の裏面に記載することが望ましい。なお、ドアサイン広告物１の下部が、はがき１１として使用されるため、ドアサイン広告物１の上部の、たて寸法は、１０ｃｍていどとすることが望ましい。
【手続補正７】
【補正対象書類名】明細書
【補正対象項目名】００２２
【補正方法】変更
【補正の内容】
【００２２】
また、ドアサイン広告物１の下部には、アンケート回答者の個人情報および回答内容を蓄積し利用する機関の名称を特定するため、個人情報利用主体の表示６が記載される。これによって、個人情報を利用する主体が、広告主以外に拡張される可能性を、あらかじめアンケート回答者に明示することができる。機関は、グループとして構成するとよい。アンケート回答者は、このような個人情報の利用に同意しないのであれば、アンケートに回答しなければよい。この文言は、はがき１１の表面の、個人情報記入欄５に近接して記載することが望ましい。
【手続補正８】
【補正対象書類名】明細書
【補正対象項目名】００２６
【補正方法】変更
【補正の内容】
【００２６】
アンケート回答が、はがき１１によって送付された場合、はがき１１の記載内容は、広告主がサーバコンピュータ１４へ入力する。このとき、はがき１１の紙面のレイアウト認識、および文字認識ができるＯＣＲなどの、データ入力装置１３を利用し、データ入力の自動化をすることができる。
【手続補正９】
【補正対象書類名】明細書
【補正対象項目名】００３３
【補正方法】変更
【補正の内容】
【００３３】
１  ドアサイン広告物
２  ルーレット
３  開口
４  ルーレット
５  個人情報記入欄
６  個人情報利用主体の表示
７  ２次元バーコード
８  景品の表示
９  アンケート質問欄
１０  チェックボックス
１１  はがき
１２  カメラつき携帯端末
１３  データ入力装置
１４  サーバコンピュータ (個人情報データベースを含む)
１５  個人情報利用主体
１６  個人情報リスト
【手続補正１０】
【補正対象書類名】図面
【補正対象項目名】図１
【補正方法】変更
【補正の内容】
【図１】
0003163669.tif 000006